(57)【要約】【課題】  搬送パレット上に安定した状態で複数の遊技機を整列して簡単に載置保持することができる遊技機用の搬送パレットを提供する。【解決手段】  搬送パレット３０は矩形平板状のパレット本体３１と、この上面に並んで取り付けられた三つの支持枠６０とから構成され、パチンコ機ＰＭの下枠部を支持枠６０により支持して立設状態で整列支持する。この支持枠６０が、所定間隔を有して互いに平行且つ左右方向に延びる前および後枠部材６２，６３と、左端部において前および後枠部材の間の配設空間６４を閉塞して配設された側端閉塞部材６５と、右端部に揺動自在に取り付けられた側端開閉部材６６とからなり、側端開閉部材６８は、配設空間６４の右端開放端部を閉塞する閉塞位置と、閉塞位置から外方に揺動してここを開放させる開放位置とに移動可能である。【選択図】  図１０
2006334054.tif 000002
【特許請求の範囲】
【請求項１】
矩形平板状のパレット本体と、前記パレット本体の上面に取り付けられた支持枠とから構成され、遊技機の下枠部を前記支持枠により支持して前記パレット本体上に複数の遊技機を立設状態で整列支持するように構成された搬送パレットであって、
前記支持枠が、前記下枠部の前後寸法に対応した間隔を有して互いに平行且つ左右方向に延びて前記パレット本体の上面に取り付けられた前および後枠部材と、左右方向の一端部において前記前および後枠部材の間の配設空間を閉塞して配設された側端閉塞部材と、左右方向の他端部に揺動自在に取り付けられた側端開閉部材とからなり、
前記側端開閉部材は、前記配設空間を前記他端部において閉塞する閉塞位置と、前記閉塞位置から外方に揺動して前記配設空間を前記他端部の外側に開放させる開放位置とに移動可能であることを特徴とする遊技機用の搬送パレット。
【請求項２】
前記側端開閉部材は下端部においてヒンジ結合されて上下揺動可能に取り付けられ、上方に揺動して起立して前記閉塞位置に位置し、下方に揺動して前記開放位置に位置するように構成されていることを特徴とする請求項１に記載の遊技機用の搬送パレット。
【請求項３】
前記側端開閉部材は左右いずれかの側端部においてヒンジ結合されて水平揺動可能に取り付けられ、起立状態のまま前記配設空間の他端部を閉塞する位置まで揺動して前記閉塞位置に位置し、前記閉塞位置から外側に水平揺動して前記開放位置に位置するように構成されていることを特徴とする請求項１に記載の遊技機用の搬送パレット。
【発明の詳細な説明】
【技術分野】
【０００１】
本発明は、パチンコ機に代表される遊技機を搬送するために用いられる搬送パレットに関する。
【背景技術】
【０００２】
パチンコ機は方形枠状の外枠に遊技構成部材を有してなる前枠をヒンジ結合して構成されており、工場で組み立て梱包された状態で遊技ホール等の出荷先に出荷される。このとき、梱包状態のパチンコ機を矩形板状の搬送パレット上に複数個載置し、搬送パレットをフォークリフト等によりトラックに積み卸しして輸送出荷される方式が従来から一般的に用いられている。このような搬送パレットに梱包状態のパチンコ機を複数個載置したときに搬送中にパチンコ機がパレット上から崩れ落ちると問題であるため、搬送パレット上に遊技機を縦置きもしくは横置きに立設させて整列載置するとともに全体外周を留めひも、ゴムバンド等で縛って固定する方法が用いられていた。
【発明の開示】
【発明が解決しようとする課題】
【０００３】
しかしながら、搬送パレット上に遊技機を縦置きもしくは横置きにおいただけの状態ではパチンコ機は倒れやすく、留めひも等で縛るときに作業者が搬送パレット上に載置したパチンコ機を支えつつ、別の作業者が留めひも等で縛る作業を行う必要があり、作業が繁雑であるという問題があった。また、このように留めひも等で全体の外周を縛っただけでは、搬送中に隣接するパチンコ機同士がぶつかって傷が付くおそれがあるという問題もあった。
【０００４】
本発明はこのような問題に鑑みたもので、搬送パレット上に安定した状態で複数の遊技機を整列して載置保持することができ、搬送中に揺れても倒れることがなく、且つ隣接する遊技機同士がぶつかるおそれもないような遊技機用の搬送パレットを提供することを目的とする。
【課題を解決するための手段】
【０００５】
このようなことから本発明の搬送パレットは矩形平板状のパレット本体と、このパレット本体の上面に取り付けられた支持枠とから構成され、遊技機の下枠部を支持枠により支持してパレット本体上に複数の遊技機を立設状態で整列支持するように構成される。その上で、支持枠が、下枠部の前後寸法に対応した間隔を有して互いに平行且つ左右方向に延びてパレット本体の上面に取り付けられた前および後枠部材と、左右方向の一端部において前および後枠部材の間の配設空間を閉塞して配設された側端閉塞部材と、左右方向の他端部に揺動自在に取り付けられた側端開閉部材とからなり、側端開閉部材は、配設空間を他端部において閉塞する閉塞位置と、閉塞位置から外方に揺動して配設空間を他端部の外側に開放させる開放位置とに移動可能である。
【０００６】
なお、側端開閉部材は下端部においてヒンジ結合されて上下揺動可能に取り付けられ、上方に揺動して起立して閉塞位置に位置し、下方に揺動して開放位置に位置するように構成されても良く、また、左右いずれかの側端部においてヒンジ結合されて水平揺動可能に取り付けられ、起立状態のまま配設空間の他端部を閉塞する位置まで揺動して閉塞位置に位置し、閉塞位置から外側に水平揺動して開放位置に位置するように構成されていても良い。
【発明の効果】
【０００７】
このように構成された本発明の搬送パレットを用いれば、側端開閉部材を開放位置に移動させて前および後枠部材に囲まれた配設空間の他端部を外側に開放させた状態で、この開放端部から遊技機を立設状態で配設空間内に簡単に搬入することができ、且つこのように搬入した状態で前および後枠部材が遊技機の下枠部を前後から挟んで安定支持する。この後、側端開閉部材を閉塞位置に揺動移動させて配設空間の開放端を閉じれば、配設空間内に搬入した遊技機は配設空間内に保持され、搬送パレットから外れ落ちるおそれはなく、この状態で搬送パレットをフォークリフト等によりトラックに積み卸ししてトラックによりそのまま輸送することができる。
【発明を実施するための最良の形態】
【０００８】
以下、図面を参照して本発明の最適な実施形態について説明する。まず、本発明に係る搬送パレットについて説明する前に、この搬送パレットに載置されて搬送される対象となるパチンコ機の構成を簡単に説明する。
【０００９】
このパチンコ機ＰＭを図２〜図４に示しており、機枠又は機体として所定の外郭方形枠サイズに構成された固定保持用の外枠１の前側に、これに合わせた方形枠サイズに構成された開閉搭載用の前枠２が、正面左側上下部に配設された開閉ヒンジ３ａ，３ｂ及び正面右側内部に配設された施錠装置４を利用して、開閉（片持ち横開き）可能に組付けられて閉鎖状態に保持される。そしてこの前枠２の前側面域には、この領域サイズに合わせた方形枠サイズのガラス扉（ガラス窓ともいう）５が前枠２に開閉自在に設けられ、前枠２の裏側を覆う方形枠サイズの収容枠６が前枠２と一体に形成されて設けられ、前枠２の前面には上、下の球皿７ａ，７ｂ及び打球発射装置８等が夫々装備されている。また、パチンコゲームを展開し得る遊技盤１０が、前記収容枠６の収容面域に対して水平姿勢・位置の縦向きで着脱交換可能にセット保持されて、前面の遊技領域１１を前記ガラス扉５の正面に臨ませている。
【００１０】
遊技盤１０における盤前面のレール１５の内側に、各種の遊技部品（入賞成立発生する大小の入賞具や図柄表示装置を含む）と多数本の遊技釘との配置設定に基づく前記遊技領域１１を設けている。さらに、前枠２の裏側には、予備賞球用のタンク２１および整列部材２２、受電・入出力用のターミナル基板２３、球寄せカバー２４、制御基板２５、払い出し機構２６等を備えた裏機構が装備されている。
【００１１】
なお、外枠１は、それぞれ木製もしくは樹脂製の上枠板１ａと、左右枠板１ｂ，１ｃと、底枠板１ｄとから矩形枠状に形成されるとともに、前面下部において底枠板１ｄの上側に配設された幕板１ｅと、幕板１ｅの裏側に配設された矩形断面状の補強連桿１ｆとを有して構成される。
【００１２】
以上の構成のパチンコ機ＰＭは工場内で組み立てられた後に梱包されて遊技ホール等に出荷されるが、このとき梱包状態（非梱包状態の場合もある）のパチンコ機ＰＭは図１に示す搬送パレット３０の上に立設状態で整列して載置されてトラック等に積み込まれて輸送される。この搬送パレット３０が本発明を構成するものであり、搬送パレット３０の構成およびその使用形態等を以下に詳細に説明する。
【００１３】
搬送パレット３０は、平面視略正方形となる矩形平板状のパレット本体３１と、このパレット本体３１の上面に並列に取り付けられた３つの支持枠６０とから構成される。なお、以下の説明においては、説明の便宜上、図において矢印で示す前後左右上下文字の方向をそれぞれ前後、左右、上下方向として説明する。パレット本体３１は、平板状の下面板部３２および上面板部３４と、これら下面板部３２および上面板部３４との間に配設された複数の支柱部３３とを有して樹脂一体成形されて作られている。なお、これを木材等により組立て作っても良い。
【００１４】
上面板部３４の上には、左右に所定間隔をおいて前後に延びる左、中および右支持基板５１，５２，５３がネジ止めされて固定されいる。このため、上面板部３４には所定位置にネジ孔が予め設けられている。３つの支持枠６０，６０，６０は、前後に所定間隔をおいて左右に延びるようにしてこれら三つの支持基板５１，５２，５３の上に跨って固設されている。
【００１５】
各支持枠６０は、互いに平行且つ左右方向に延びる前および後枠部材６１，６２と、これら前および後枠部材６１，６２の下端部を繋いで底面を形成する底面部材６３と、これら前および後枠部材６１，６２および底面部材６３に囲まれるとともに上方に開放した配設空間６４を前および後枠部材６１，６２の右端部において閉塞して配設された側端閉塞部材６５と、配設空間６４の左端部に位置して底面部材６３（もしくは左支持基板５１）にヒンジ６８を介して上下揺動自在に取り付けられた側端開閉部材６６とから構成される。これら前および後枠部６１，６２、底面部材６３、側端閉塞部材６５および側端開閉部材６６はそれぞれ、樹脂成形により作っても良く、金属板を曲げ成型してなる外板に樹脂板を張り付けて作っても良いが、本実施形態では金属板を曲げ成型してなる外板に樹脂板を張り付けて構成した例を図示している。
【００１６】
側端開閉部材６６は、下端外側面においてヒンジ６８により右支持基板５１の外側面にヒンジ結合されており、図５および図６に示すように、ヒンジ６８を中心として右支持基板５１に対して上下に揺動可能となっている。これにより、側端開閉部材６６は、前および後枠部材６１，６２と側端閉塞部材６５により前後および左端部が囲まれるとともに底面部材６３により底面が形成されて上方に開口した配設空間６４の右端開口部を、図１および図5に示すように閉塞する閉塞位置と、図６に二点鎖線で示し又図１０にも示すように閉塞位置から外方に揺動して配設空間６４の右端開口部を外方に開放させる開放位置とに揺動移動可能である。
【００１７】
この側端開閉部材６６と後枠部材６２の外側面とには、図７〜図９にも示すように、ロック装置７０が設けられている。なお、図５〜図９においてはパレット本体３１を省略して示しており、図７および図８においては金属板を曲げ成型してなる外板に樹脂板を張り付けて構成される前および後枠部６１，６２、底面部材６３における樹脂板を省略して示している。
【００１８】
ロック装置７０は、係合ピン７２を左右に移動自在に保持して後枠部材６２の左端部外側面に取り付けられたロック本体部材７１と、係合ピン７２の左端部を突入受容する受容孔を有して側端開閉部材６６の後側端面に取り付けられた係合部材７３とから構成される。係合ピン７２には側方に突出するつまみ部７２ａが設けられており、作業者がつまみ部７２ａを指で掴んで係合ピン７２を左右に移動させ、図５に示すように係合ピン７２の左端部を係合部材７３の受容孔内に突入させたロック位置と、図６に示すように係合ピン７２の左端部を係合部材７３の受容孔内に後退させて離脱させた解放位置とに位置させることができるようになっている。
【００１９】
なお、ロック本体部材７１には、つまみ部７２ａを左右に移動させるための移動溝と、この移動溝の左右端部において周方向に延びてつまみ部７２ａを受容して左右方向の移動を拘束する拘束溝とが形成されており、つまみ部７２ａを回転させて左右の拘束溝内に位置させてロック位置もしくは解放位置で保持し、この位置からつまみ部７２ａを移動溝に対向する位置まで回転させてつまみ部７２ａを移動溝内で移動させることにより係合ピン７２をロック位置と解放位置との間で移動させることができるように構成されている。
【００２０】
次に、以上のように構成された搬送パレット３０に複数のパチンコ機ＰＭを立設状態で整列保持して搬送する方法について、図１０を参照して説明する。なお、この図ではパチンコ機ＰＭをそのままの状態で搬送パレット３０上に載置するように示しているが、通常は梱包された状態のパチンコ機ＰＭが搬送パレット３０上に載置される。
【００２１】
まず、ロック装置７０のつまみ部７２ａをつまんで係合ピン７２を解放位置に移動させ、係合ピン７２の左端部を係合部材７３の受容孔から離脱させ、係合ピン７２と係合部材７３との係合を解除する。これにより、側端開閉部材６６はヒンジ６８を中心として上下方向に揺動自在となるため、図１０において中央の支持枠６０におけるように側端開閉部材６６を外側に揺動させて開放位置に移動させ、この支持枠６０の配設空間６４を左端部に開放させる。そして、この開放部からパチンコ機ＰＭを矢印Ｂ方向に示す方向に移動させてパチンコ機ＰＭの外枠１の下部を配設空間６４内に収容させる。このとき、後枠部材６２がパチンコ機ＰＭの後面に対向し、前枠部材６１が前面に対向するようにしてパチンコ機ＰＭの下部を配設空間６４内に入り込ませる。配設空間６４は左端部において開放されているため、パチンコ機ＰＭを図示のように立設させた状態で矢印Ｂ方向にスライド移動させるだけでよく、搬送パレット３０への搭載作業が容易である。
【００２２】
このようにして、支持枠６０の配設空間６４内に所定数（本例では２台）のパチンコ機ＰＭを搭載した後、側端開閉部材６６を閉塞位置まで揺動させて配設空間６４の左端部を閉塞させる。これにより、配設空間６４内に搭載されたパチンコ機ＰＭは、三つの支持枠６０，６０，６０にそれぞれ２台ずつ整列保持され、且つ各パチンコ機ＰＭの下部の前面（幕板１ｅ）が前枠部材６１により支持され、下部の後面が後枠部材６２により支持され、且つ２台並んだパチンコ機ＰＭの左右側面が側端閉塞部材６５および側端開閉部材６６により支持される。この結果、搬送パレット３０の上に２台ずつ３列に整列して合計６台のパチンコ機ＰＭが立設状態で安定して搭載される。
【００２３】
このようにしてパチンコ機ＰＭを搭載した状態で、搬送パレット３０をフォークリフト等によりトラックに積み込んで出荷先等に輸送されるが、この輸送途中においても全てのパチンコ機ＰＭが支持枠６０により立設状態のまま安定支持される。このため、輸送中に倒れたり、互いにぶつかって傷つけあうというような問題は生じない。なお、出荷先において各パチンコ機ＰＭを取り出すときには、上記と逆の手順を踏めば良い。
【００２４】
以上説明した搬送パレット３０においては、三つの支持枠６０，６０，６０のそれぞれにおいて、左端部に側端開閉部材６６をヒンジ６８により揺動自在に取り付けて構成しているが、図１１に示すように、三つの側端開閉部材６６を一体に繋げて構成される一体型側端開閉部材８０を用いても良い。このようにすれば、三つの支持枠６０，６０，６０の全てにおいて同時に左端を開放したり、閉塞したりすることができ、操作がより簡単となり、ロック装置７０が図示のように一つでも良くなる。なお、ロック装置７０は一つでも良いが、左右両側に二個設けたり、三つの指示枠６０，６０，６０にそれぞれ合計三個設けても良い。
【００２５】
次に、支持枠６０の異なる実施形態に係る支持枠１６０について、図１２および図１３を参照して説明する。この支持枠１６０も、上述した支持枠６０と同様に図1に示すように３列に並んで、パレット本体３１の上に支持基盤５１，５３等を介して取り付けられるように構成されている。
【００２６】
この支持枠１６０は、互いに平行且つ左右方向に延びる前および後枠部材１６１，１６２と、これら前および後枠部材１６１，１６２の下端部を繋いで底面を形成する底面部材１６３と、これら前および後枠部材１６１，１６２および底面部材１６３に囲まれるとともに上方に開放した配設空間１６４を前および後枠部材１６１，１６２の右端部において閉塞して配設された側端閉塞部材１６５と、配設空間１６４の左端部に位置して後枠部材１６２の後面にヒンジ１６８を介して左右揺動自在に取り付けられた側端開閉部材１６６とから構成される。なお、後枠部材１６２の高さは上述の保持枠６０の後枠部材６２より低いが、その左右端部において側端閉塞部材１６５および側端開閉部材１６６が後面側に折れ曲がって後支持部１６５ａおよび１６６ａが設けられており、これら後支持部１６５ａおよび１６６ａは上述の保持枠６０の後枠部材６２とほぼ同じ高さを有している。これにより、配設空間１６４内に搭載されたパチンコ機ＰＭの後面はこれら後支持部１６５ａ，１６６ａにより支持することができる。
【００２７】
側端開閉部材１６６は、図１３に示すように、後支持部１６６ａの後面下部においてヒンジ１６８により後枠部材１６２の後面にヒンジ結合されており、ヒンジ１６８を中心として後枠部材１６２に対して左右横開き方向に揺動可能となっている。これにより、側端開閉部材１６６は、配設空間１６４の右端開口部を閉塞する閉塞位置と、閉塞位置から外方に横方向揺動（水平揺動）して配設空間１６４の右端開口部を外方に開放させる開放位置とに横方向に揺動移動可能である。そして、図１３に示すように、後枠部材１６２の後面と側端開閉部材１６６の後支持部１６６ａの後面下部とに跨ってロック装置７０が設けられており、閉塞位置に位置した側端開閉部材１６６をこの位置でロック保持可能となっている。なお、ロック装置７０は上述の支持枠６０に用いられているものと同一構成であり、その詳細説明は省略する。
【００２８】
この構成の支持枠１６０を取り付けた搬送パレットの場合にも、図1および図１０に示した搬送パレット３０と同様に、複数のパチンコ機ＰＭを立設状態で整列して安定した状態で支持でき、搬送できる。この支持枠１６０の場合には、側端開閉部材１６６を水平揺動させて開放位置に位置させるという作動上での相違があるだけで、その他の構成および作動は上述の搬送パレット３０と同一であるので、その説明は省略する。
【図面の簡単な説明】
【００２９】
【図１】本発明の第1実施形態に係る搬送パレットを示す斜視図である。
【図２】上記搬送パレット上に載置されて搬送される対象であるパチンコ機の正面図である。
【図３】上記搬送パレット上に載置されて搬送される対象であるパチンコ機の背面図である。
【図４】上記搬送パレット上に載置されて搬送される対象であるパチンコ機の側面図である。
【図５】上記搬送パレットを構成する支持枠の後面図である。
【図６】上記搬送パレットを構成する支持枠の後面図である。
【図７】上記搬送パレットを構成する支持枠の平面図である。
【図８】上記搬送パレットを構成する支持枠の部分拡大平面図である。
【図９】上記搬送パレットを構成する支持枠の拡大側面図である。
【図１０】上記搬送パレット上にパチンコ機を搭載する方法を説明する斜視図である。
【図１１】本発明の第1実施形態に係る搬送パレットの変形例を示す斜視図である。
【図１２】本発明の第２実施形態に係る搬送パレットを構成する支持枠の斜視図である。
【図１３】本発明の第２実施形態に係る搬送パレットを構成する支持枠の斜視図である。
【符号の説明】
【００３０】
ＰＭ  パチンコ機                    １  外枠    
１ａ  上枠板                        １ｂ，１ｃ  左右枠板
１ｄ  底枠板                        １ｅ  幕板
１ｆ  補強連桿
２  前枠                            ３ａ，３ｂ  開閉ヒンジ
４  施錠装置                        ５  ガラス扉
６  収容枠                          ７ａ，７ｂ  球皿
８  打球発射装置                    １０  遊技盤
１１  遊技領域                      １５  レール
２１  タンク                        ２２  整列部材
２３  ターミナル基板                ２４  球寄せカバー
２５  制御基板                      ２６  払い出し機構
３０  搬送パレット                  ３１  パレット本体
３２  下面板部                      ３３  支柱部
３４  上面板部                      ５１，５２，５３  支持基盤
６０，１６０  支持枠                ６１，１６１  前枠部材
６２，１６２  後枠部材              ６３，１６３  底面部材
６４，１６４  配設空間              ６５，１６５  側端閉塞部材
１６５ａ  後支持部                  ６６，１６６  側端開閉部材
１６６ａ  後支持部                  ６８，１６８  ヒンジ
７０  ロック装置                    ７１  ロック本体部材
７２  係合ピン                      ７２ａ  つまみ部
７３  係合部                        ８０  一体型側端開閉部材
【図１】
2006334054.tif 000003
【図２】
2006334054.tif 000004
【図３】
2006334054.tif 000005
【図４】
2006334054.tif 000006
【図５】
2006334054.tif 000007
【図６】
2006334054.tif 000008
【図７】
2006334054.tif 000009
【図８】
2006334054.tif 000010
【図９】
2006334054.tif 000011
【図１０】
2006334054.tif 000012
【図１１】
2006334054.tif 000013
【図１２】
2006334054.tif 000014
【図１３】
2006334054.tif 000015